(57)【要約】【課題】階層メニューの表示を制御すること。【解決手段】階層メニューを表示する表示部１５０と、表示部１５０が表示している階層メニューにおける各項目の選択入力を受け付ける入力受付部１４０と、入力受付部１４０が入力を受け付けた選択入力に応じて、表示部１５０への階層メニューの表示を制御する制御部１１０とを備え、制御部１１０は、階層メニューの第１の階層メニューと、当該第１の階層メニューの各項目のうち入力受付部を介して選択入力された項目に対応する下位階層の第２の階層メニューと、当該第２の階層メニューの各項目に対応する下位階層の第３の階層メニューの一の項目とを含む階層メニュー画面を、表示部１５０へ表示させる。【選択図】図１
2012194839.tif 000002
【特許請求の範囲】
【請求項１】
階層メニューの表示を制御する表示制御システムであって、
階層メニューを表示する表示部と、
前記表示部が表示している階層メニューにおける各項目の選択入力を受け付ける入力受付部と、
前記入力受付部が入力を受け付けた選択入力に応じて、前記表示部への階層メニューの表示を制御する制御部と
を備え、
前記制御部は、階層メニューの第１の階層メニューと、当該第１の階層メニューの各項目のうち前記入力受付部を介して選択入力された項目に対応する下位階層の第２の階層メニューと、当該第２の階層メニューの各項目に対応する下位階層の第３の階層メニューの一の項目とを含む階層メニュー画面を、前記表示部へ表示させる
ことを特徴とする表示制御システム。
【請求項２】
前記制御部は、前記第３の階層メニューの一の項目として、前記第３の階層メニューの各項目のうち、最後に選択された項目を含む階層メニュー画面を、前記表示部へ表示させる
請求項１に記載の表示制御システム。
【請求項３】
前記制御部は、前記第３の階層メニューの一の項目として、前記第３の階層メニューの各項目のうち、初期設定の表示順の優先の度合いが最も高い項目を含む階層メニュー画面を、前記表示部へ表示させる
請求項１又は２に記載の表示制御システム。
【請求項４】
前記制御部は、前記第２の階層メニュー又は前記第３の階層メニューが存在しない場合、当該階層メニューの項目を表示させない
請求項１から３のいずれか一項に記載の表示制御システム。
【発明の詳細な説明】
【技術分野】
【０００１】
本発明は、表示制御システムに関する。特に、本発明は、階層メニューの表示を制御する表示制御システムに関する。
【背景技術】
【０００２】
携帯端末は、様々な機能を備えており、それぞれの機能において、その状態を設定可能である（例えば、特許文献１参照。）。また、各機能は、複数の階層から構成されるメニュー形式でＬＣＤ（Ｌｉｑｕｉｄ  Ｃｒｙｓｔａｌ  Ｄｉｓｐｌａｙ）モニタに表示され、ＧＵＩ（Ｇｒａｐｈｉｃａｌ  Ｕｓｅｒ  Ｉｎｔｅｒｆａｃｅ）を利用して、設定を変更することが可能である。例えば、機能メニューの構造は、３つの階層から構成されており、上位階層から第１階層、第２階層、第３階層となっている。
【先行技術文献】
【特許文献】
【０００３】
【特許文献１】特開２０１０−１０８１４５号公報
【発明の概要】
【発明が解決しようとする課題】
【０００４】
しかしながら、特許文献１に記載の技術は、階層メニューに含まれる各階層のうち、２つまでの階層しか表示画面上に表示しない。そのため、未だ多くの階層に遷移しなければならないという問題があった。また、目的の機能がない階層に到達してしまった場合、上位階層に戻って探しなおさなければならないという煩わしさがあった。
【課題を解決するための手段】
【０００５】
上記課題を解決するために、本発明の第１の形態によると、階層メニューの表示を制御する表示制御システムであって、階層メニューを表示する表示部と、表示部が表示している階層メニューにおける各項目の選択入力を受け付ける入力受付部と、入力受付部が入力を受け付けた選択入力に応じて、表示部への階層メニューの表示を制御する制御部とを備え、制御部は、階層メニューの第１の階層メニューと、当該第１の階層メニューの各項目のうち入力受付部を介して選択入力された項目に対応する下位階層の第２の階層メニューと、当該第２の階層メニューの各項目に対応する下位階層の第３の階層メニューの一の項目とを含む階層メニュー画面を、表示部へ表示させる。
【０００６】
なおまた、上記のように発明の概要は、本発明の必要な特徴の全てを列挙したものではなく、これらの特徴群のサブコンビネーションもまた、発明となり得る。
【発明の効果】
【０００７】
以上の説明から明らかなように、この発明によっては、既知の技術と比較して、階層メニューの中から目的の項目を見つけやすく、容易に到達することができる。
【図面の簡単な説明】
【０００８】
【図１】一実施形態に係る携帯電話１００のハードウェア構成の一例を示す図である。
【図２】ディスプレイ１５０に表示される階層メニューの表示画面２１０の一例を示す図である。
【図３】表示画面２１０の表示中に右キー１４２ｄが押下されたときの表示画面２２０の一例を示す図である。
【図４】表示画面２２０の表示中に上キー１４２ａ又は下キー１４２ｂが押下されたときの表示画面２３０の一例を示す図である。
【図５】携帯電話１００の制御部１１０の動作フローの一例を示す図である。
【図６】ディスプレイ１５０に表示される階層メニューの表示画面３１０の他の例を示す図である。
【図７】携帯電話１００の制御部１１０の動作フローの他の例を示す図である。
【発明を実施するための形態】
【０００９】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１０】
図１は、一実施形態に係る携帯電話１００のハードウェア構成の一例を示す。携帯電話１００は、無線通信を利用した、持ち歩ける電話機である。より具体的に説明すると、携帯電話１００は、階層メニューの表示を制御する機能を有する。階層メニューは、メニューの項目を選ぶとその中に複数の項目がある、といったように、複数の階層を持つメニューである。なおまた、携帯電話１００は、この発明における「表示制御システム」の利用形態の一例であってよい。
【００１１】
携帯電話１００は、ＣＰＵ（Ｃｅｎｔｒａｌ  Ｐｒｏｃｅｓｓｉｎｇ  Ｕｎｉｔ）１１０、メモリ１２０、キー入力制御部１３０、各種キー１４０、及びディスプレイ１５０を備える。なおまた、ＣＰＵ１１０は、この発明における「制御部」の一例であってよい。また、各種キー１４０は、この発明における「入力受付部」の一例であってよい。また、ディスプレイ１５０は、この発明における「表示部」の一例であってよい。
【００１２】
ＣＰＵ１１０は、プログラムを実行することで装置全体の制御やデータの計算・加工を行う。
【００１３】
メモリ１２０は携帯電話１００内でデータやプログラムを記憶する装置である。ＣＰＵ１１０が実行する各種プログラム又は必要なデータを格納する不揮発性メモリや、ＣＰＵ１１０のための作業用領域、データの一時記憶領域を含んでおり、ここで最後に使用した機能を記憶しておく。
【００１４】
キー入力制御部１３０は、ファンクションキー１４１、方向キー１４２、ダイヤルキー１４３等を含む各種キー１４０からのキー入力を受け付ける入力回路である。ファンクションキー１４１は特定の機能を即座に呼び出すことができ、メニュー画面を表示する機能も含む。方向キー１４２にはカーソルを移動させるための上キー１４２ａ、下キー１４２ｂ、左キー１４２ｃ、右キー１４２ｄを含んでいる。ダイヤルキー１４３は、文字や数字を入力するためのキーである。
【００１５】
ディスプレイ１５０は、携帯電話１００の本体の前面に配置されている液晶パネル等の表示装置であり、メニュー画面を表示する。
【００１６】
図２は、ディスプレイ１５０に表示される階層メニューの表示画面２１０の一例を示す。ファンクションキー１４１押下で第１階層のメニュー一覧を画面左列に表示した状態で「メール」を選択した場合、画面中央には第２階層として、「メール」の下位階層を表示する。さらに画面右列には第３階層のメニュー一覧を表示する。このとき、第２階層の各機能の隣に第３階層の最後に使用した機能、又は最上列に配置された機能を表示するが、第２階層の機能が最下位階層の場合、空白にする。
【００１７】
図３は、表示画面２１０の表示中に右キー１４２ｄが押下されたときの表示画面２２０の一例を示す。表示画面２１０の表示中に右キー１４２ｄ押下で第２階層に遷移した場合、「受信ＢＯＸ」の下位階層が既に最下位階層のため、画面左列に第２階層、画面中央列に第３階層のメニュー一覧を表示し、画面右列は空白にする。第１階層は非表示にする。
【００１８】
図４は、表示画面２２０の表示中に上キー１４２ａ又は下キー１４２ｂが押下されたときの表示画面２３０の一例を示す。表示画面２２０の表示中に上キー１４２ａ又は下キー１４２ｂ押下で同位階層の「メール設定」に移動した場合、複数の下位階層を有するため、第３階層の各機能の隣に第４階層の最後に使用した機能、又は最上列に配置された機能を画面右列に表示するが、第３階層の機能が最下位階層の場合、空白にする。
【００１９】
なおまた、図１から図３に示すいずれの表示画面においても、選択している機能はしていない機能より大きく表示して強調する。
【００２０】
図５は、携帯電話１００の制御部１１０の動作フローの一例を示す。携帯電話１００の使用者によってファンクションキー１４１が押下されると（Ｓ３０１：ＹＥＳ）、携帯電話１００の制御部１１０は、ディスプレイ１５０を縦に３分割し、第１階層のメニュー一覧を左列に表示する（Ｓ１０２）。
【００２１】
そして、上キー１４２ａ又は下キー１４２ｂが押下されて、目的の機能に見合った項目へカーソルが移動されると、制御部１１０は、下位階層のメニュー一覧をディスプレイ１５０を縦３分割したうちの中央列に表示する（Ｓ１０３）。
【００２２】
そして、中央列に表示されているメニューの各機能が最下位階層でない場合（Ｓ１０４：ＮＯ）、制御部１１０は、各機能の隣に、最後に使用した機能又は最上列に配置されている機能を表示する（Ｓ１０５）。一方、中央列に表示されているメニューの各機能が最下位階層の場合（Ｓ１０４：ＹＥＳ）、制御部１１０は、その機能の隣を空白にする（Ｓ１０６）。
【００２３】
そして、目的の機能が表示され（Ｓ３０７：ＹＥＳ）、方向キー１４２で遷移し、決定キーが押下されると、その機能を起動させる（Ｓ１０８）。目的の機能に到達しておらず（Ｓ３０７：ＮＯ）、右キー１４２ｄが押下されて下位階層に移動する場合、制御部１１０は、左列のメニュー一覧を非表示にし、中央列の一覧を左列に、右列の一覧を中央列に移動する（Ｓ１０９）。これを、目的の機能に到達するまで繰り返す。
【００２４】
以上で説明したように本発明によれば、画面上に３つまで階層を表示することができるため、既知のメニュー表示より目的の機能が見つけやすく、容易に到達することができる。また、最後に使用した機能が表示されることで、使用頻度の高い機能に容易に到達することができる。
【００２５】
図６は、ディスプレイ１５０に表示される階層メニューの表示画面３１０の他の例を示す。本発明のほかの実施例として、その基本的構成は上記の通りであるが、既に画面上に階層が３列表示されている状態で下位階層に遷移する場合、表示画面３１０上部に上位階層のタブ３１２を表示させてもよい。目的の機能に到達できなかった場合、ファンクションキー１４１に含まれるタブ操作ボタン３１１に対応するキーを押下して、操作対象を表示画面３１０上部のタブ３１２に切り替えることで、遷移したい上位階層に戻ることができる。
【００２６】
図７は、携帯電話１００の制御部１１０の動作フローの他の例を示す。図７に示す動作フローは、ステップＳ２０９の処理だけが図５に示す動作フローの処理と異なる。目的の機能に到達しておらず（Ｓ２０７：ＮＯ）、右キー１４２ｄが押下されて下位階層に移動する場合、制御部１１０は、カーソルをあてたと同時に左列のメニュー一覧をタブ３１２として画面上部に表示し、中央列の一覧を左列、右列の一覧を中央列に移動する（Ｓ２０９）。その後は、図５に示す動作フローの処理と同様にして、これを目的の機能に到達するまで繰り返す。
【００２７】
この実施例によって、目的の機能に到達するまでに階層を４つ以上遷移しなければならない場合でも、上位階層に即座に戻ることができる。
【００２８】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００２９】
１００  携帯電話
１１０  ＣＰＵ
１２０  メモリ
１３０  キー入力制御部
１４０  キー
１４１  ファンクションキー
１４２  方向キー
１４２ａ  上キー
１４２ｂ  下キー
１４２ｃ  左キー
１４２ｄ  右キー
１４３  ダイヤルキー
１５０  ディスプレイ
２１０  表示画面
２２０  表示画面
２３０  表示画面
３１０  表示画面
３１１  タブ操作キー
３１２  タブ
【図１】
2012194839.tif 000003
【図２】
2012194839.tif 000004
【図３】
2012194839.tif 000005
【図４】
2012194839.tif 000006
【図５】
2012194839.tif 000007
【図６】
2012194839.tif 000008
【図７】
2012194839.tif 000009